(57)【要約】      （修正有）【課題】ユーザ側での自発的な問い合わせをせずに、充電ステーション（サービスエンド）で充電されている充電式バッテリに関する充電の進み具合を周期的に受信することができる方法を提供する。【解決手段】充電ステーションで充電されている充電式バッテリに関する充電の進み具合を周期的に受信することができる方法は、サービスエンド電子装置と、ユーザエンド電子装置と、クラウドサーバとを備える。サービスエンド電子装置は、ユーザエンド電子装置に対応するユーザ識別子を取得し、ユーザ識別子をクラウドサーバへ送信する。サービスエンド電子装置は、充電式バッテリに対応するバッテリ識別子を取得して、バッテリ識別子をクラウドサーバへ送信する。クラウドサーバは、充電式バッテリの充電を開始させ、充電の進み具合をユーザエンド電子装置に定期的に送信し、充電が完了した後にユーザエンド電子装置に完了通知を発する。【選択図】図２
2019179546.tif 000002
【特許請求の範囲】
【請求項１】
ユーザに該ユーザに対応すると共にサービスエンドで充電されている充電式バッテリ（１）に関する充電の進み具合を通知する方法であって、
クラウドサーバ（２）により、サービスエンドのサービスエンド電子装置（３）から、該ユーザのユーザエンド電子装置（４）に対応すると共に、前記サービスエンド電子装置（３）により取得されたユーザ識別子を受信し、前記クラウドサーバ（２）は前記ユーザエンド電子装置（４）及び前記サービスエンド電子装置（３）と通信可能に接続されているステップと、
前記クラウドサーバ（２）により、前記サービスエンド電子装置（３）から、前記充電式バッテリ（１）に対応すると共に、前記サービスエンド電子装置（３）により取得されたバッテリ識別子を受信するステップと、
前記クラウドサーバ（２）により、前記充電式バッテリ（１）が前記サービスエンドの充電器（５）に接続されると共に、前記充電器（５）が前記充電式バッテリ（１）を充電し始めた後に、前記サービスエンドから前記充電式バッテリ（１）の充電の進み具合を受信すると、前記ユーザ識別子に基づいて前記ユーザエンド電子装置（４）に前記充電の進み具合を定期的に送信し、前記充電器（５）は前記クラウドサーバ（２）と通信可能に接続されていて、また、前記充電の進み具合は前記充電式バッテリ（１）に現在蓄えられている電気エネルギーに関するステップと、を含む、
ことを特徴とする、方法。
【請求項２】
前記クラウドサーバ（２）が前記サービスエンド電子装置（３）からバッテリ識別子を受信した後に、前記クラウドサーバ（２）により、前記ユーザ識別子に基づいて、受領メッセージを前記ユーザエンド電子装置（４）に発し、前記受領メッセージは、前記充電式バッテリ（１）に対応し、前記サービスエンドから前記充電式バッテリ（１）を取り戻す際に前記ユーザにより使用されるクイックレスポンスコードを有するステップをさらに含む、
請求項１に記載の方法。
【請求項３】
前記クラウドサーバ（２）により、前記サービスエンド電子装置（３）からバッテリ情報を前記バッテリ識別子と共に受信し、前記バッテリ情報は、前記サービスエンド電子装置（３）によって取得され、且つ、前記充電式バッテリ（１）に関するバッテリ健全性情報及びバッテリ障害情報を有し、前記バッテリ健全性情報は、前記充電式バッテリ（１）の最大容量に関し、前記バッテリ障害情報は、前記充電式バッテリ（１）の損傷状態に関するステップをさらに含む、
請求項２に記載の方法。
【請求項４】
前記クラウドサーバ（２）により、前記バッテリ情報を前記受領メッセージと共に、前記ユーザエンド電子装置（４）に送信するステップをさらに含む、
請求項３に記載の方法。
【請求項５】
前記充電器（５）から、前記充電器（５）によって検出された前記バッテリ識別子と、前記充電式バッテリ（１）に現在蓄えられている電子エネルギーを指すと共に、前記充電式バッテリ（１）が前記充電器（５）に接続されている際に前記充電器（５）によって検出されたバッテリエネルギー情報と、を受信し、そして、前記充電器（５）に充電信号を送信し、前記充電器（５）に前記充電信号に基づいて前記充電式バッテリ（１）を充電し始めさせ、
前記充電進行を送信することは、
前記充電式バッテリ（１）が前記充電器（５）によって充電されている際に、前記充電器（５）から前記充電の進み具合を定期的に受信し、
前記充電器（５）から受信した前記充電の進み具合を前記ユーザ識別子に対応する前記ユーザエンド電子装置（４）に定期的に発送するステップをさらに含む、
請求項４に記載の方法。
【請求項６】
前記クラウドサーバ（２）により、前記充電信号が送信されると、前記充電式バッテリ（１）を充電し始めたことを通知するために、前記ユーザ識別子に基づいて、前記ユーザエンド電子装置（４）に充電通知を発するステップをさらに含む、
請求項５に記載の方法。
【請求項７】
前記クラウドサーバ（２）により、前記充電式バッテリ（１）の充電が完了した後に、前記充電式バッテリ（１）に対する充電が完了したことを通知するために、前記ユーザ識別子に基づいて、前記ユーザエンド電子装置（４）に完了通知を発するステップをさらに含む、
請求項１に記載の方法。
【請求項８】
前記完了通知を発するステップは、前記充電器（５）から、前記充電式バッテリ（１）の充電が完了した後に、前記充電器（５）により生成された完了通知を受信し、且つ、前記充電器（５）によって生成されると共に前記充電器（５）から受信された前記完了通知を、前記ユーザ識別子に基づいて前記ユーザエンド電子装置（４）に発送するステップを含む、
請求項７に記載の方法。
【請求項９】
前記サービスエンド電子装置（３）は、サービスエンドアプリケーションプログラムを実行してユーザエンドクイックレスポンスコード（ＱＲコード）に基づいて前記ユーザ識別子を得ることによって、前記ユーザ識別子を取得し、前記ユーザエンドＱＲコードは、前記ユーザ識別子に対応し、且つ、ユーザエンドアプリケーションプログラムを実行する前記ユーザエンド電子装置（４）によって取得される、
請求項１に記載の方法。
【請求項１０】
前記サービスエンド電子装置（３）は、前記充電式バッテリ（１）の上面に示されると共に、前記バッテリ識別子に対応するバッテリクイックレスポンスコードに基づいて、前記バッテリ識別子を取得する、
請求項１に記載の方法。
【請求項１１】
前記バッテリ識別子は、前記充電式バッテリ（１）に記憶され、且つ、前記サービスエンド電子装置（３）は、近距離通信プロトコルを介して前記充電式バッテリ（１）から前記バッテリ識別子を取得する、
請求項１に記載の方法。
【請求項１２】
ユーザに該ユーザに対応すると共にサービスエンドで充電されている充電式バッテリ（１）に関する充電の進み具合を通知するシステムであって、
ユーザ識別子に対応する前記ユーザのユーザエンド電子装置（４）と、
ユーザ識別子と、前記充電式バッテリ（１）に対応するバッテリ識別子と、を取得するように構成されている前記サービスエンドのサービスエンド電子装置（３）と、
前記充電式バッテリ（１）を充電するように構成されている前記サービスエンドの充電器（５）と、
前記ユーザエンド電子装置（４）及び前記充電器（５）と通信可能に接続され、前記サービスエンド電子装置（３）から前記ユーザ識別子及び前記バッテリ識別子を受信し、また、前記充電式バッテリ（１）が前記充電器（５）に接続され、前記充電器（５）が前記充電式バッテリ（１）を充電し始めた後に、前記充電式バッテリ（１）の充電の進み具合を、前記サービスエンドから前記充電の進み具合を受信した上で、前記ユーザ識別子に基づいて前記ユーザエンド電子装置（４）に定期的に送信するように構成されているクラウドサーバ（２）であって、前記充電器（５）は該クラウドサーバ（２）に通信可能に接続され、前記充電の進み具合は前記充電式バッテリ（１）に現在蓄えられている電気エネルギーに関する、クラウドサーバ（２）と、を備えている
ことを特徴とする、システム。
【請求項１３】
前記クラウドサーバ（２）が前記サービスエンド電子装置（３）から前記バッテリ識別子を受信した後に、前記クラウドサーバ（２）は、前記ユーザ識別子に基づいて、前記ユーザエンド電子装置（４）に受領メッセージを発し、前記受領メッセージは、前記充電式バッテリ（１）に対応し、前記サービスエンドから前記充電式バッテリ（１）を取り戻す際にユーザにより使用されるクイックレスポンスコードを有する、
請求項１２に記載のシステム。
【請求項１４】
前記サービスエンド電子装置（３）は、前記バッテリ識別子と共にバッテリ情報を取得し、そして、前記クラウドサーバ（２）に前記バッテリ情報を送信するようにさらに構成されていて、前記バッテリ情報は、前記充電式バッテリ（１）に関するバッテリ健全性情報及びバッテリ障害情報を有し、前記バッテリ健全性情報は、前記充電式バッテリ（１）の最大容量に関し、前記バッテリ障害情報は、前記充電式バッテリ（１）の損傷状態に関する、
請求項１３に記載のシステム。
【請求項１５】
前記クラウドサーバ（２）は、前記ユーザエンド電子装置（４）に前記受領メッセージと共に前記バッテリ情報を送信するようにさらに構成されている、
請求項１４に記載のシステム。
【請求項１６】
前記充電器（５）は、前記充電式バッテリ（１）が前記充電器（５）に接続されている際に、前記充電式バッテリ（１）の前記バッテリ識別子と、前記充電式バッテリ（１）に現在蓄えられている電気エネルギーを指すバッテリエネルギー情報と、を検出し、そして、前記クラウドサーバ（２）に前記バッテリ識別子及び前記バッテリエネルギー情報を送信するように構成され、
前記クラウドサーバ（２）は、前記充電器（５）から前記バッテリ識別子及び前記バッテリのエネルギー情報を受信すると、前記充電器（５）に充電信号を送信して、前記充電器（５）に前記充電信号に基づいて前記充電式バッテリ（１）を充電し始めさせるようにさらに構成され、
前記充電器（５）は、前記充電器（５）が前記充電式バッテリ（１）を充電している際に、前記クラウドサーバ（２）に前記充電の進み具合を定期的に送信し、そして、前記クラウドサーバ（２）は、前記充電器（５）から受信した前記充電の進み具合を前記ユーザ識別子に対応する前記ユーザエンド電子装置（４）に定期的に発送する、
請求項１５に記載のシステム。
【請求項１７】
前記クラウドサーバ（２）は、前記充電信号を送信する際に、前記充電式バッテリ（１）を充電し始めたことを通知するために、前記ユーザ識別子に基づいて前記ユーザエンド電子装置（４）に充電通知を発するようにさらに構成されている、
請求項１６に記載のシステム。
【請求項１８】
前記クラウドサーバ（２）は、前記充電式バッテリ（１）の充電が完了した後に、前記充電式バッテリ（１）の充電が完了したことを通知するために、前記ユーザ識別子に基づいて前記ユーザエンド電子装置（４）に完了通知を発するようにさらに構成されている
請求項１２に記載のシステム。
【請求項１９】
前記充電器（５）は、前記充電式バッテリ（１）の充電が完了した後に、前記クラウドサーバ（２）に前記完了通知を発するようにさらに構成され、且つ、前記クラウドサーバ（２）は、前記ユーザ識別子に基づいて、前記充電器（５）によって生成されると共に前記充電器（５）から受信される前記完了通知を前記ユーザエンド電子装置（４）に発送するようにさらに構成されている、
請求項１８に記載のシステム。
【請求項２０】
前記サービスエンド電子装置（３）は、サービスエンドアプリケーションプログラムを実行してユーザエンドクイックレスポンスコード（ＱＲコード）に基づいて前記ユーザ識別子を得ることによって前記ユーザ識別子を取得し、前記ユーザエンドＱＲコードは、前記ユーザ識別子に対応し、且つ、ユーザエンドアプリケーションプログラムを実行する前記ユーザエンド電子装置（４）によって取得されるように構成されている、
請求項１２に記載のシステム。
【請求項２１】
前記サービスエンド電子装置（３）は、前記充電式バッテリ（１）の上面に示されると共に、前記バッテリ識別子に対応するバッテリクイックレスポンスコードに基づいて、前記バッテリ識別子を取得するように構成されている、
請求項２０に記載のシステム。
【請求項２２】
前記バッテリ識別子は、前記充電式バッテリ（１）に記憶され、且つ、前記サービスエンド電子装置（３）は、近距離通信プロトコルを介して前記充電式バッテリ（１）から前記バッテリ識別子を取得する、
請求項１２に記載のシステム。
【発明の詳細な説明】
【技術分野】
【０００１】
本発明は、電気自動車の充電式バッテリを充電することに関し、特に、ユーザに該ユーザに対応すると共にサービスエンド（service end）で充電されている充電式バッテリに関する充電の進み具合を通知するための方法及びシステムに関する。
【背景技術】
【０００２】
電気自動車の充電式バッテリが切れそうな場合に、電気自動車のユーザは充電ステーションで充電式バッテリを充電することができる。しかしながら、充電式バッテリは、大容量であるため、一般的に充電に長い時間がかかる。既存の充電技術では、充電式バッテリを０％から最大容量の８０％に充電するのに約２時間かかり、そして、フル充電には３〜４時間かかる。充電式バッテリの充電中に、ユーザが他に用事がある場合に、ユーザは、サービスサイトに問い合わせしなくては充電の進み具合を知ることができず、不便である。
【０００３】
台湾特許第Ｉ５６５６１０号は、充電管理サーバと、充電ステーションと、を有する充電ステーションシステムを開示している。充電管理サーバは、充電ステーションを指示して、充電の予約がされている許可された電気自動車又は電気自動車を充電するように構成されている。充電管理サーバはまた、無許可の自動車を充電しないよう充電ステーションを指示するように構成されている。
【発明の概要】
【発明が解決しようとする課題】
【０００４】
したがって、本発明の目的は、ユーザが、ユーザ側での自発的な問い合わせをせずに、充電ステーション（サービスエンド）で充電されている充電式バッテリに関する充電の進み具合を周期的に受信することができる方法を提供することにある。
【課題を解決するための手段】
【０００５】
本発明によると、ユーザに該ユーザに対応すると共にサービスエンドで充電されている充電式バッテリに関する充電の進み具合を通知する方法は、クラウドサーバにより、サービスエンドのサービスエンド電子装置から、該ユーザのユーザエンド電子装置に対応すると共に前記サービスエンド電子装置により取得されたユーザ識別子を受信し、前記クラウドサーバは、前記ユーザエンド電子装置及び前記サービスエンド電子装置に通信可能に接続されているステップと、前記クラウドサーバにより、前記サービスエンド電子装置から、前記充電式バッテリに対応すると共に前記サービスエンド電子装置により取得されたバッテリ識別子を受信するステップと、前記クラウドサーバにより、前記充電式バッテリが前記サービスエンドの充電器に接続されると共に、前記充電器が前記充電式バッテリを充電し始めた後に、前記サービスエンドから前記充電式バッテリの充電の進み具合を受信すると、前記ユーザ識別子に基づいて前記ユーザエンド電子装置に前記充電の進み具合を定期的に送信し、前記充電器は前記クラウドサーバに通信可能に接続されていて、また、前記充電の進み具合は、前記充電式バッテリに現在蓄えられている電気エネルギーに関するステップと、を含む。
【０００６】
本発明の他の目的は、ユーザが、ユーザ側での自発的な問い合わせをせずに、充電ステーション（サービスエンド）で充電されている充電式バッテリに関する充電の進み具合を定期的に受信することができるシステムを提供することにある。
【０００７】
本発明によると、ユーザ該ユーザに対応すると共にサービスエンドで充電されている充電式バッテリに関する充電の進み具合を通知するシステムは、ユーザ識別子に対応する前記ユーザのユーザエンド電子装置と、サービスエンドのユーザ識別子と、前記充電式バッテリに対応するバッテリ識別子と、を取得するように構成されている前記サービスエンドのサービスエンド電子装置と、前記充電式バッテリを充電するように構成されている前記サービスエンドの充電器と、前記ユーザエンド電子装置及び前記充電器に通信可能に接続され、前記サービスエンド電子装置から前記ユーザ識別子及び前記バッテリ識別子を受信し、また、前記充電式バッテリが前記充電器に接続され、前記充電器が前記充電式バッテリを充電し始めた後に、前記充電式バッテリの充電の進み具合を、前記サービスエンドから前記充電の進み具合を受信した上で、前記ユーザ識別子に基づいて前記ユーザエンド電子装置に定期的に送信するように構成されているクラウドサーバであってし、前記充電器は該クラウドサーバにに通信可能に接続され、前記充電の進み具合は前記充電式バッテリに現在蓄えられている電気エネルギーに関する、クラウドサーバと、を備えている。
【０００８】
本発明の他の特徴および利点は、添付の図面を参照する以下の実施形態の詳細な説明において明白になるであろう。
【図面の簡単な説明】
【０００９】
【図１】本発明に係るユーザに該ユーザに対応すると共にサービスエンドで充電されている充電式バッテリに関する充電の進み具合を通知するためのシステムの一実施形態を示すブロック図である。
【図２】本発明に係るユーザに該ユーザに対応すると共にサービスエンドで充電されている充電式バッテリに関する充電の進み具合を通知するための方法の一実施形態のステップを示すフローチャートである。
【図３】ユーザエンド電子装置に充電の進み具合を送信することの詳細を示すフローチャートである。
【図４】充電か完了した後に、ユーザエンド電子装置に完了通知を発することの詳細を示すフローチャートである。
【発明を実施するための形態】
【００１０】
本発明をより詳細に説明する前に、適切と考えられる場合において、符号又は符号の末端部は、同様の特性を有し得る対応の又は類似の要素を示すために各図面間で繰り返し用いられることに留意されたい。
【００１１】
図１に示されているように、本発明による、ユーザに該ユーザに対応すると共にサービスエンド(例えば、充電ステーション)で充電されている充電式バッテリに関する充電の進み具合を通知するためのシステムの実施形態は、クラウドサーバ２と、サービスエンドのサービスエンド電子装置３と、ユーザのユーザエンド電子装置４と、サービスエンドの充電器５と、を備えるように示されている。
【００１２】
クラウドサーバ２は、パーソナルコンピュータ、又は、クラウドホストコンピュータによって実施され、複数のバッテリ識別子と、複数のユーザ識別子と、を記憶する。バッテリ識別子は、電気自動車に使用される複数のバッテリにそれぞれ対応し、そして、各バッテリ識別子は、１つのユーザ識別子に対応する。各ユーザ識別子は、ユーザエンド電子装置と、長期のレンタル契約及び短期のレンタル契約の１つに対応する契約識別子と、に対応する。
【００１３】
実際に、電気自動車の製造業者は、電気自動車に使用される各充電式バッテリに対して、クイックレスポンスコード（ＱＲコード）のような二次元バーコードの形式でステッカーにバッテリ識別子を印刷することができ、そして、充電式バッテリの側面にステッカーを貼付する。他の実施形態では、バッテリ識別子は、対応する充電式バッテリの内部記憶モジュール(図示せず)に記憶されることができる。
【００１４】
電気自動車に使用されている充電式バッテリは、高価であるので、電気自動車を購入する際に、ユーザが販売者とバッテリのレンタル契約をすることが一般的に行われている。バッテリのレンタル契約は、ユーザの希望に応じて、長期のレンタル契約又は短期のレンタル契約であることができる。一例として、ユーザが長期のレンタル契約をすることを選択する場合に、ユーザは、販売者の充電ステーションで充電式バッテリを充電することができ、一方、ユーザが短期のレンタル契約をすることを選択する場合に、ユーザは、販売者の充電ステーションで充電式バッテリを充電することが許可されない。電気自動車を購入した後に、ユーザは、当該ユーザの携帯電話、或いは、タブレットコンピュータ（即ち、ユーザエンド電子装置４）にアプリケーションプログラム（ユーザエンドアプリケーションプログラム）をインストールして、ユーザ情報及びバッテリのレンタル契約情報を登録することができ、これによりアプリケーションプログラムは、二次元バーコード（例えば、ＱＲコード）の形式でユーザ識別子を生成させ、ここでユーザ識別子は、バッテリのレンタル契約の種類（例えば、長期のレンタル契約又は短期のレンタル契約）を指す契約識別子に対応する。ユーザエンド電子装置４は、通信ネットワーク（例えば、インターネット）を介してクラウドサーバ２と通信可能に接続されるため、車輌識別子（購入された電気自動車に対応し、且つ、販売者によってクラウドサーバ２に提供されることができる）と、バッテリ識別子と、ユーザ識別子と、契約識別子と、をクラウドサーバ２において結ぶ付けるように、登録データがクラウドサーバ２に送信されることができる。言い換えれば、車輌識別子とバッテリ識別子とユーザ識別子と契約識別子との間の対応関係は、クラウドサーバ２において定義及び記憶される。一実施形態では、ユーザ識別子は、アプリケーションプログラムによって生成された後に、ユーザエンド電子装置４の内部記憶ユニットに記憶されることができる。
【００１５】
サービスエンド電子装置３は、携帯電話又はタブレットコンピュータのようなモバイル機器であることができる。ユーザ識別子が対応するユーザエンド電子装置４に記憶され、且つ、バッテリ識別子が充電式バッテリ１に記憶される場合に、サービスエンド電子装置３は、近距離無線通信（near field communication、略称：ＮＦＣ）プロトコルのような近距離通信を使用して、それぞれユーザエンド電子装置４及び充電式バッテリ１からユーザ識別子及びバッテリ識別子を取得することができる。ユーザ識別子がユーザエンド電子装置４にＱＲコードとしてアプリケーションプログラムによって示され、且つ、バッテリ識別子がＱＲコードとして充電式バッテリ１に貼付されたステッカーに印刷されている場合に、サービスエンド電子装置３は、ＱＲコードをスキャンして、それぞれユーザエンド電子装置４及び充電式バッテリ１からユーザ識別子及びバッテリ識別子を取得することができる。サービスエンド電子装置３は、通信ネットワークを介してクラウドサーバ２と通信可能に接続されるため、サービスエンド電子装置３は、取得したユーザ識別子及びバッテリ識別子をクラウドサーバ２に送信することができる。
【００１６】
充電器５は、充電式バッテリ１を充電するように構成され、充電式バッテリ１に関するバッテリ情報を読み取るためのコントローラエリアネットワークバス（controller area network bus、略称：ＣＡＮｂｕｓ）を介して充電式バッテリ１と通信することができる。充電器５は、通信ネットワークを介してクラウドサーバ２と通信可能に接続されているため、充電器５は、取得したデータをクラウドサーバ２に送信することができる。
【００１７】
また、図２に示されているように、ユーザが充電のために充電式バッテリ１をサービスエンド（例えば、販売者の充電ステーション）に持っていくと、サービスエンドは、次のステップ６１〜６５を実行して、本発明に係る充電式バッテリ１の充電の進み具合をユーザに通知する方法を実施することができる。
【００１８】
ステップ６１において、サービスエンド電子装置３は、ユーザのユーザエンド電子装置４に対応するユーザ識別子を取得し、そして、ユーザ識別子をクラウドサーバ２に送信する。サービスエンド電子装置３は、サービスエンドアプリケーションプログラムを実行して、ユーザ識別子（ユーザエンドＱＲコード）に対応すると共に、サービスエンドアプリケーションプログラムを実行してユーザ識別子を取得するユーザエンド電子装置４によって取得されたＱＲコードをスキャンすることができ、或いは、近距離無線通信プロトコルを用いて、ユーザエンド電子装置４に記憶されているユーザ識別子を取得する。
【００１９】
ステップ６２において、サービスエンド電子装置３は、充電式バッテリ１に対応するバッテリ識別子を取得し、そして、バッテリ識別子をクラウドサーバ２に送信する。サービスエンド電子装置３は、サービスエンドアプリケーションプログラムを実行して、バッテリ識別子（バッテリＱＲコード）に対応すると共に、充電式バッテリ１の側面（例えば、上面）に示されているＱＲコードをスキャンして、バッテリ識別子を取得することができ、或いは、近距離無線通信プロトコルを用いて、充電式バッテリ１に記憶されているバッテリ識別子を取得する。サービスエンド電子装置３はまた、近距離無線通信プロトコルを用いて、充電式バッテリ１に記憶されているバッテリ情報を取得し、そして、バッテリ情報をバッテリ識別子と共にクラウドサーバ２に送信する。バッテリ情報は、充電式バッテリ１に関するバッテリ健全性情報（例えば、充電式バッテリの正常状態（state of health、略称：ＳｏＨ））及びバッテリ障害情報を有する。バッテリ健全性情報は、充電式バッテリ１の目下の最大容量に関し、バッテリ障害情報は、充電式バッテリ１の損傷状態に関する。
【００２０】
クラウドサーバ２は、受信したバッテリ識別子（クラウドサーバ２に記憶されている定義済みの対応関係の内の１つに定義されている）が対応するユーザ識別子がステップ６１において受信したユーザ識別子と同じであるか否かを判定する。判定が肯定的であると、ステップ６１において受信したユーザ識別子とステップ６２において受信したバッテリ識別子との対応関係が確認されたことを意味し、クラウドサーバ２は、バッテリ識別子に対応する契約識別子が長期のレンタル契約に対応するか否かを確認し、そして、判定が肯定的である場合のみ、ステップ６３へ進む。
【００２１】
ステップ６３において、クラウドサーバ２は、ユーザ識別子に基づいて、受領メッセージをユーザエンド電子装置４に発する。受領メッセージは、充電式バッテリ１に対応し、サービスエンドから充電式バッテリ１を取り戻す際にユーザにより使用されるＱＲコードを含むことができる。一実装形態では、受領メッセージをユーザエンド電子装置４に送信すると共に、クラウドサーバ２は、サービスエンド電子装置３から受信したバッテリ情報をユーザエンド電子装置４にさらに送信し、ユーザに充電式バッテリ１の最大容量及び損傷状態を知らせる。
【００２２】
ステップ６４において、クラウドサーバ２は、充電式バッテリ１が充電器５に接続された後に、充電器５に充電式バッテリ１を充電し始めさせ、サービスエンドから充電式バッテリ１の充電の進み具合を定期的に受信し、そして、充電の進み具合をユーザエンド電子装置４に定期的に送信する。具体的には、充電式バッテリ１が充電器５に接続されると、充電器５は、充電式バッテリ１のバッテリ識別子及びバッテリエネルギー情報を検出しクラウドサーバ２に送信する。バッテリエネルギー情報は、充電式バッテリ１に現在蓄えられている電気エネルギーを指す。また、図３に示されているように、充電器５により検出されたバッテリ識別子及びバッテリエネルギー情報を受信する（サブステップ６４１）と、クラウドサーバ２は、充電器５に充電信号を送信して、充電器５が充電信号に基づいて充電式バッテリ１を充電し始めるようにさせる（サブステップ６４２）。一実施形態では、充電信号を充電器５に送信することに加え、充電式バッテリ１を充電し始めたことを通知するように、クラウドサーバ２は、ユーザ識別子に基づいて、ユーザエンド電子装置４に充電通知をさらに発する。充電器５が充電式バッテリ１を充電する際に、充電器５は、充電式バッテリ１の充電の進み具合を検出し（充電の進み具合は、充電式バッテリ１に現在蓄えられている電気エネルギーに関する）、そして、充電の進み具合をクラウドサーバ２に定期的に送信する。充電器５によって定期的に提供される充電の進み具合を受信する(サブステップ６４３）と、クラウドサーバ２は、充電の進み具合をユーザ識別子に対応するユーザエンド電子装置４に発送する(サブステップ６４４）。一実施形態では、クラウドサーバ２は、充電の進み具合をサービスエンド電子装置３にも発送する。
【００２３】
図２及び図４に示されているように、ステップ６５において、充電式バッテリ１の充電が完了した後に、クラウドサーバ２は、充電式バッテリ１に対する充電が完了したことを通知するように、ユーザ識別子に基づいて、ユーザエンド電子装置４に完了通知を発する。詳細には、充電器５は、充電式バッテリ１の充電が完了した後に、クラウドサーバ２に完了通知を発する。クラウドサーバ２は、充電器５から完了通知を受信する（サブステップ６５１）と、クラウドサーバ２は、ユーザ識別子に基づいて、充電器５によって生成されると共に、充電器５から受信される完了通知をユーザエンド電子装置４に発送する（サブステップ６５２）。一実施形態では、クラウドサーバ２は、完了通知をサービスエンド電子装置３にも発送する。ユーザエンド電子装置４を介して完了通知を読み取った後に、ユーザは充電が完了したことに気づいて、ステップ６３において受信した受領メッセージを使用してサービスエンドから充電式バッテリ１を取り戻すことができる。
【００２４】
ユーザが充電するために代理人を指定して、該代理人が充電式バッテリ１をサービスエンドに持っていくのを補助する場合に、ユーザは、ユーザ識別子に対応すると共に、ユーザエンドアプリケーションプログラムによって生成されたユーザエンドＱＲコードを代理人に送信することができ、これによりステップ６１〜６５が実施されることができる。
【００２５】
総括すると、サービスエンドは、クラウドサーバ２を介して自動的及び定期的に充電の進み具合をユーザエンド電子装置４に伝えるので、ユーザがサービスエンドに充電の進み具合を問い合わせなくても、依然として充電の進み具合を知ることができる。
【００２６】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００２７】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【図１】
2019179546.tif 000003
【図２】
2019179546.tif 000004
【図３】
2019179546.tif 000005
【図４】
2019179546.tif 000006
【外国語明細書】
2019179546000001.pdf